【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
モバイルコンピューティング装置であって、
(i)アプリケーションに特有な、前記装置に最適化されたバイナリ形式でデータを保存するデータストアと、(ii)標準形式を用いるが前記最適化されたバイナリデータ形式を用いないアプリケーションＡと、(iii)ウエブサーバとを備え、
前記装置は携帯型で可搬の装置であり、前記ウエブサーバは、前記バイナリ形式から前記標準形式へとデータを変換して、その標準形式データをアプリケーションＡに提供するために、前記アプリケーションＡは間接的にデータを前記データストアから読むことを特徴とするモバイルコンピュータ装置。
【請求項２】
前記装置は、更に付加された装置に遠隔的に接続されており、該装置は、前記標準形式を読むことができるが前記最適化されたバイナリデータ形式は読めないアプリケーションＢを実行し、前記ウエブサーバは、前記データストアからのデータを前記標準形式に変換し、その標準形式のデータをアプリケーションＢに提供するモバイルコンピューティング装置。
【請求項３】
前記ウェブサーバは、アプリケーション特有のデータを、第２の形式から前記バイナリ形式へと変換することができ、前記ウエブサーバが、アプリケーションＡまたはＢからの前記標準形式のデータを前記バイナリ形式に変換してそのバイナリデータを前記データストアに保存するときに、前記アプリケーションＡまたはアプリケーションＢは、前記データストアへとデータの書き込みあるいは操作を間接的に行なう請求項１記載のモバイルコンピューティング装置。
【請求項４】
前記ウェブサーバは、パイプラインを成すように接続された複数のプラグインモジュールを具備し、前記パイプラインは、アプリケーション特有のデータの異なるソースからデータを取得することを動的に選択可能な複数のデータ変換プラグインモジュールで終端し、前記データ変換モジュールは、１つ以上の固有のバイナリデータ形式と前記第１の合意した形式との間でデータを変換することができる請求項１記載のモバイルコンピューティング装置。
【請求項５】
前記標準形式はマークアップ言語形式であり、前記装置の前記アプリケーションＡ及び前記更に付加された装置の前記アプリケーションＢはウェブブラウザである請求項２記載のモバイルコンピューティング装置。
【請求項６】
前記装置に常駐する前記ブラウザは、幾つかの異なるデータソースからアプリケーション特有のバイナリデータをまとめるグラフィカルユーザインタフェースを提供する請求項５記載のモバイルコンピューティング装置。
【請求項７】
前記ブラウザは、前記装置の完全なユーザインタフェースとなる請求項６記載のモバイルコンピューティング装置。
【請求項８】
前記装置に対する前記ユーザインタフェースは、ユーザプリファレンスを考慮する、あるいは、製品の差別化の拡大を可能にするために、無線により変更、更新、又はカスタマイズすることができる請求項６または７記載のモバイルコンピューティング装置。
【請求項９】
前記標準形式は、アプリケーションＡに使用するためのテキスト文字列形式であり、テキスト文字列データを適切にフォーマットする請求項１記載のモバイルコンピューティング装置。
【請求項１０】
前記第２の形式はフォームデータ形式である請求項３記載のモバイルコンピューティング装置。
【請求項１１】
前記モバイル装置は、ＷＡＮあるいはローカルエリアネットワーク又はピコネットを介して前記更に付加された装置へと遠隔接続可能である請求項２記載のモバイルコンピューティング装置。
【請求項１２】
前記ウェブサーバは、前記装置の位置及び環境によって、挙動又は動作を変更するようにプログラムされる請求項１記載のモバイルコンピューティング装置。
【請求項１３】
前記装置が、高いセキュリティクリアランスを有するネットワークにだけ存在すると判定する場合にのみ、第２の装置への機密性の高いデータを利用可能にするようにプログラムされる請求項１２記載のモバイルコンピューティング装置。
【請求項１４】
前記アプリケーション特有のデータは、個人情報管理（ＰＩＭ）データ、メッセージ、ワードプロセサで作成された文書、画像ファイル、及び音声ファイルのうちの１つである請求項１記載のモバイルコンピューティング装置。
【請求項１５】
同期パラメータ及びバックアップ構成パラメータを格納する請求項１記載のモバイルコンピューティング装置。
【請求項１６】
可搬型コンピュータまたは携帯電話またはパーソナルオーガナイザであることを特徴とする請求項１乃至１５のいずれか１項に記載のモバイルコンピューティング装置。
【請求項１７】
モバイルかつ可搬のコンピューティング装置において実行中のアプリケーションＡが前記モバイル装置上に格納されるアプリケーション特有のデータを読むことができるようにする方法であって、
前記モバイルコンピューティング装置に常駐するウェブサーバにおいて、前記アプリケーション特有のデータを前記装置のために最適化されたバイナリデータ形式から前記装置のために最適化されていない標準形式であるが、前記アプリケーションＡにより処理することができる第１の合意した形式へと変換する工程を含む方法。
【請求項１８】
前記モバイル装置に遠隔的に接続された、更に付加された装置で実行されるアプリケーションＢに、アプリケーションＢもまた前記標準形式を処理できることから、前記モバイル装置に保存されているアプリケーション特有のデータを読むことを可能ならしめる請求項１７に記載の方法。
【請求項１９】
いずれか一方のアプリケーションは、新規のアプリケーション特有のデータを書くか、あるいは、前記アプリケーション特有のデータを操作することが可能であり、前記方法は、
前記モバイル装置に常駐する前記ウェブサーバにおいて、前記新規の又は操作されたアプリケーション特有のデータを第２の合意した形式からバイナリデータ形式へと変換する工程と、
前記新規の又は操作された、前記バイナリデータ形式のデータを、前記装置のデータストアに送る工程とを更に含む請求項１８記載の方法。
【請求項２０】
適切なデータ変換プラグインモジュールを選択する工程が、前記変換工程より先行し、前記利用可能なデータ変換モジュールは、各々、アプリケーション特有のデータの異なるソースからデータを取得することを動的に選択可能である請求項１７記載の方法。
【請求項２１】
前記ウェブサーバが前記モバイルコンピューティング装置に常駐するブラウザと対話する工程を含み、前記第１の合意した形式は前記ウェブブラウザにより表示可能なマークアップ言語形式である請求項１７記載の方法。
【請求項２２】
前記携帯電話装置に常駐する前記ブラウザが、幾つかの異なるソースからのアプリケーション特有のデータをまとめるグラフィカルインタフェースを提供する工程を含む請求項１７記載の方法。
【請求項２３】
前記携帯電話装置上の前記ブラウザが前記装置に対する完全なユーザインタフェースとして動作する工程を含む請求項２２記載の方法。
【請求項２４】
ユーザプリファレンスを考慮する、あるいは、製品の差別化の拡大を可能にするために、前記装置に対する前記ユーザインタフェースを無線により変更又はカスタマイズする工程を更に含む請求項２３記載の方法。
【請求項２５】
前記第２の合意した形式はフォームデータ形式である請求項１９記載の方法。
【請求項２６】
前記ウェブサーバからテキスト文字列形式で前記アプリケーション特有のデータを出力する工程を更に含み、前記テキスト文字列形式データは、データを適切にフォーマットするアプリケーションＡ又はＢにおいて使用される請求項１８記載の方法。
【請求項２７】
前記携帯電話装置に遠隔接続された前記更に付加された装置は、前記モバイルコンピューティング装置に格納されるデータを前記更に付加された装置により決定される形式で表示する請求項１８記載の方法。
【請求項２８】
ＷＡＮあるいはローカルエリアネットワーク又はピコネットを介して前記携帯電話装置を前記更に付加された装置へと遠隔接続する工程を含む請求項１８記載の方法。
【請求項２９】
前記ウェブサーバが前記携帯電話装置の位置及び環境によって、挙動又は動作を変更する工程を含む請求項１６記載の方法。
【請求項３０】
前記モバイルコンピューティング装置が、高いセキュリティクリアランスを有するネットワークにだけ存在すると判定する場合にのみ、機密性の高いアプリケーション特有のデータを利用可能にする請求項２９記載の方法。
【請求項３１】
前記アプリケーション特有のデータは、個人情報管理（ＰＩＭ）データ、メッセージ、ワードプロセサで作成された文書、画像ファイル、及び音声ファイルのうちの１つである請求項１７記載の方法。
【請求項３２】
前記モバイルコンピューティング装置が同期パラメータ及びバックアップ構成パラメータを格納する工程を含む請求項１７記載の方法。
【請求項３３】
搬送媒体上に格納される場合のコンピュータソフトウェアであって、モバイルコンピューティング装置により実行された場合に、モバイルコンピューティング装置に請求項１７に記載の方法を実行させるコンピュータソフトウェア。
【手続補正２】
【補正対象書類名】明細書
【補正対象項目名】０００５
【補正方法】変更
【補正の内容】
【０００５】
本発明の第１の面では、モバイルコンピューティング装置であって、(i)アプリケーションに特有な、前記装置に最適化されたバイナリ形式で、データを保存するデータストアと、(ii)標準形式を用いるが、前記最適化されたバイナリデータ形式を用いないアプリケーションＡと、(iii)ウエブサーバとを備え、前記装置は携帯型で可搬の装置であり、前記ウエブサーバは、前記バイナリ形式から前記標準形式へとデータを変換して、その標準形式データをアプリケーションＡに提供するために、前記アプリケーションＡは間接的にデータを前記データストアから読むようなモバイルコンピューティング装置が提供される。
【手続補正３】
【補正対象書類名】明細書
【補正対象項目名】０００６
【補正方法】変更
【補正の内容】
【０００６】
アプリケーション特有のデータは、「ＰＩＭ」（個人情報管理）データ（例えば、連絡先リスト、スケジュールなど）、メッセージ（電子メール、ＳＭＳなど）、ワードプロセサで作成された文書、音声ファイル、画像ファイルなどであっても良い。好ましくは、モバイルコンピューティング装置は、標準形式を読めるが最適化されたバイナリ形式は読めないアプリケーションＢを実行する、更に付加された装置に遠隔的に接続されており、ウエブサーバは、データストアからのデータを標準形式に変換し、その標準形式のデータをアプリケーションＢに提供する。更に付加された装置は、デスクトップＰＣであっても、別のモバイルコンピューティング装置であっても良い。合意した形式は、アプリケーションＡ又はＢにより特定的に定義されても、暗黙のデフォルトであっても、要求元のアプリケーションＡ又はＢとウェブサーバとの間で協議されても良い。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】